(57)【要約】  本発明は、セルモジュールコントローラに対する固有番号割り当てシステムおよび方法に関し、より具体的には、メインＢＭＳを介して一つ以上のセルモジュールコントローラに各々連結された一つ以上の抵抗部に固有番号割り当て信号を印加し、一つ以上の抵抗部に各々印加される固有番号割り当て信号の電圧値に基づいて一つ以上のセルモジュールコントローラに対する固有番号を各々割り当てることによって、別途の固有番号割り当てモジュールを追加せずに簡単な回路の実現により一つ以上のセルモジュールコントローラに対する固有番号を割り当てできる、セルモジュールコントローラに対する固有番号割り当てシステムおよび方法に関する。【選択図】  図１
2019519072.tif 000002
【特許請求の範囲】
【請求項１】
セルモジュールコントローラに対する固有番号割り当てシステムであって、
一つ以上のバッテリーモジュールに各々連結され、割り当てられる固有番号を格納する一つ以上のセルモジュールコントローラ（Ｃｅｌｌ  Ｍｏｄｕｌｅ  Ｃｏｎｔｒｏｌｌｅｒ；ＣＭＣ）、
前記一つ以上のＣＭＣと各々連結される一つ以上の抵抗部、及び
前記一つ以上の抵抗部に固有番号割り当て信号を印加するメインバッテリー管理システム（Ｍａｉｎ  Ｂａｔｔｅｒｙ  Ｍａｎａｇｅｍｅｎｔ  Ｓｙｓｔｅｍ；Ｍａｉｎ  ＢＭＳ）を備えてなり、
前記メインＢＭＳは、
前記抵抗部に印加される固有番号割り当て信号の電圧値に基づいて前記一つ以上のＣＭＣに対する固有番号を割り当てることを特徴とする、セルモジュールコントローラに対する固有番号割り当てシステム。
【請求項２】
各々のＣＭＣは、
前記抵抗部から前記固有番号割り当て信号の印加を受けて格納する制御部を各々備え、
各々の抵抗部は、
前記固有番号割り当て信号の電圧値を特定の数値だけ減少させる第１抵抗、及び
特定の数値だけ低くなった前記固有番号割り当て信号の電圧値を前記制御部が許容可能な大きさに減少させる第２抵抗を各々備えてなることを特徴とする、請求項１に記載のセルモジュールコントローラに対する固有番号割り当てシステム。
【請求項３】
前記メインＢＭＳは、
前記固有番号割り当て信号を出力する固有番号割り当て部、及び
プルダウン抵抗（Ｐｕｌｌ  ｄｏｗｎ  Ｒｅｓｉｓｔｏｒ）を備え、
前記一つ以上の抵抗部のうち最前端に位置した抵抗部は一側が前記固有番号割り当て部と連結され、最後端に位置した抵抗部は一側が前記プルダウン抵抗に連結されることを特徴とする、請求項１に記載のセルモジュールコントローラに対する固有番号割り当てシステム。
【請求項４】
前記固有番号割り当て信号の電圧値は１２Ｖであることを特徴とする、請求項１に記載のセルモジュールコントローラに対する固有番号割り当てシステム。
【請求項５】
前記一つ以上の抵抗部は直列連結されることを特徴とする、請求項１に記載のセルモジュールコントローラに対する固有番号割り当てシステム。
【請求項６】
メインバッテリー管理システム（Ｍａｉｎ  Ｂａｔｔｅｒｙ  Ｍａｎａｇｅｍｅｎｔ  Ｓｙｓｔｅｍ；Ｍａｉｎ  ＢＭＳ）が一つ以上のセルモジュールコントローラ（Ｃｅｌｌ  Ｍｏｄｕｌｅ  Ｃｏｎｔｒｏｌｌｅｒ；ＣＭＣ）と各々連結された一つ以上の抵抗部に固有番号割り当て信号を印加するステップ、及び
前記メインＢＭＳが前記抵抗部に印加される固有番号割り当て信号の電圧値に基づいて前記一つ以上のＣＭＣに対する固有番号を割り当てるステップを含むことを特徴とする、セルモジュールコントローラに対する固有番号割り当て方法。
【請求項７】
前記固有番号割り当て信号を印加するステップは、
第１抵抗を介して、前記固有番号割り当て信号の電圧値を特定の数値だけ減少させるステップ、及び
第２抵抗を介して、特定の数値だけ低くなった前記固有番号割り当て信号の電圧値を制御部が許容可能な大きさに減少させるステップを含み、
前記固有番号を割り当てるステップは、
前記制御部を介して、前記第２抵抗から許容可能な大きさに減少した前記固有番号割り当て信号の印加を受けて格納するステップを含むことを特徴とする、請求項６に記載のセルモジュールコントローラに対する固有番号割り当て方法。
【請求項８】
前記固有番号割り当て信号を印加するステップは、
固有番号割り当て部が前記固有番号割り当て信号を出力するステップをさらに含み、
前記一つ以上の抵抗部のうち最前端に位置した抵抗部は一側が前記固有番号割り当て部と連結され、最後端に位置した抵抗部は一側がプルダウン抵抗（Ｐｕｌｌ  ｄｏｗｎ  Ｒｅｓｉｓｔｏｒ）に連結されることを特徴とする、請求項６に記載のセルモジュールコントローラに対する固有番号割り当て方法。
【請求項９】
前記固有番号割り当て信号の電圧値は１２Ｖであることを特徴とする、請求項６に記載のセルモジュールコントローラに対する固有番号割り当て方法。
【請求項１０】
前記一つ以上の抵抗部は直列連結されることを特徴とする、請求項６に記載のセルモジュールコントローラに対する固有番号割り当て方法。
【発明の詳細な説明】
【技術分野】
【０００１】
本出願は２０１７年０２月１５日付の韓国特許出願第１０−２０１７−００２０５４９号に基づいた優先権の利益を主張し、該韓国特許出願の文献に開示された全ての内容は本明細書の一部として含まれる。
【０００２】
本発明は、セルモジュールコントローラに対する固有番号割り当てシステムおよび方法に関し、より具体的には、メインＢＭＳを介して一つ以上のセルモジュールコントローラに各々連結された一つ以上の抵抗部に固有番号割り当て信号を印加し、一つ以上の抵抗部に各々印加される固有番号割り当て信号の電圧値に基づいて一つ以上のセルモジュールコントローラに対する固有番号を各々割り当てることによって、別途の固有番号割り当てモジュールを追加せずに簡単な回路の実現により一つ以上のセルモジュールコントローラに対する固有番号を割り当てできる、セルモジュールコントローラに対する固有番号割り当てシステムおよび方法に関する。
【背景技術】
【０００３】
一般に、２次電池は、電気自動車、エネルギー貯蔵システムおよび無停電電源供給装置のような高容量を必要とする環境では、単位２次電池セル（Ｃｅｌｌ）を複数接合することによって一つのバッテリーモジュールとして用いることができ、場合によってはバッテリーモジュールを複数接合して用いることができる。
【０００４】
複数のバッテリーモジュールを共に用いる場合、過電流および過電圧などのような異常動作によりバッテリーモジュールが過熱し、そのためにバッテリーモジュールが膨れて破損するなどの問題が発生しうる。このような問題点を補完するために、複数接合して用いる場合、常に各個別モジュールの電圧、電流および温度などの種々の状態情報を測定およびモニターし、単位セルの過充電または過放電を防止する技術が必要である。
【０００５】
したがって、従来は、このような問題を解決するために、各バッテリーモジュールにセルモジュールコントローラ（Ｃｅｌｌ  Ｍｏｄｕｌｅ  Ｃｏｎｔｒｏｌｌｅｒ；ＣＭＣ）を各々連結してバッテリーの状態を診断して制御し、複数のバッテリーモジュールと各々連結された複数のＣＭＣごとに固有番号を割り当てることによって、一つのメインＢＭＳが複数のバッテリーモジュールを管理した。
【０００６】
一方、このような従来の固有番号を割り当てる技術の場合、一つのＣＭＣごとに固有番号を割り当てるための別途の固有番号割り当てモジュールがさらに必要であり、接合されるバッテリーモジュール数が多くなるにつれて固有番号割り当てモジュールも多くなって、全体的なシステムの製作に対する費用が増加し、体積が大きくなるという問題点を有していた。
【０００７】
そこで、本発明者は、従来のセルモジュールコントローラに対する固有番号割り当てシステムおよび方法が有する問題点を解決するために、一つ以上のセルモジュールコントローラに連結された一つ以上の抵抗部に各々印加される固有番号割り当て信号の電圧値に基づいて一つ以上のセルモジュールコントローラに対する固有番号を各々割り当てることによって、別途の固有番号割り当てモジュール、ダイオードおよびバイポーラ接合トランジスタ（Ｂｉｐｏｌａｒ  Ｊｕｎｃｔｉｏｎ  Ｔｒａｎｓｉｓｔｏｒ、ＢＪＴ）を追加せずに簡単な回路の実現により一つ以上のセルモジュールコントローラに対する固有番号を割り当てできる、セルモジュールコントローラに対する固有番号割り当てシステムおよび方法を発明するに至った。
【発明の概要】
【発明が解決しようとする課題】
【０００８】
本発明は、上述した問題点を解決するために導き出されたものであり、本発明の目的は、一つ以上のセルモジュールコントローラに連結された一つ以上の抵抗部に各々印加される固有番号割り当て信号の電圧値に基づいて一つ以上のセルモジュールコントローラに対する固有番号を各々割り当てることによって、別途の固有番号割り当てモジュール、ダイオードおよびバイポーラ接合トランジスタ（Ｂｉｐｏｌａｒ  Ｊｕｎｃｔｉｏｎ  Ｔｒａｎｓｉｓｔｏｒ、ＢＪＴ）を追加せずに簡単な回路の実現により一つ以上のセルモジュールコントローラに対する固有番号を割り当てできる、セルモジュールコントローラに対する固有番号割り当てシステムおよび方法を提供することにある。
【課題を解決するための手段】
【０００９】
本発明の一実施形態によるセルモジュールコントローラに対する固有番号割り当てシステムは、一つ以上のバッテリーモジュールに各々連結され、割り当てられる固有番号を格納する一つ以上のセルモジュールコントローラ（Ｃｅｌｌ  Ｍｏｄｕｌｅ  Ｃｏｎｔｒｏｌｌｅｒ；ＣＭＣ）、前記一つ以上のＣＭＣと各々連結される一つ以上の抵抗部、および前記一つ以上の抵抗部に固有番号割り当て信号を印加するメインバッテリー管理システム（Ｍａｉｎ  Ｂａｔｔｅｒｙ  Ｍａｎａｇｅｍｅｎｔ  Ｓｙｓｔｅｍ；Ｍａｉｎ  ＢＭＳ）を含み、前記メインＢＭＳは、前記抵抗部に印加される固有番号割り当て信号の電圧値に基づいて前記一つ以上のＣＭＣに対する固有番号を割り当てる。
【００１０】
一つの実施形態において、各々のＣＭＣは、前記抵抗部から前記固有番号割り当て信号の印加を受けて格納する制御部を各々含み、各々の抵抗部は、前記固有番号割り当て信号の電圧値を特定の数値だけ減少させる第１抵抗、および特定の数値だけ低くなった前記固有番号割り当て信号の電圧値を前記制御部が許容可能な大きさに減少させる第２抵抗を各々含んでもよい。
【００１１】
一つの実施形態において、前記メインＢＭＳは、前記固有番号割り当て信号を出力する固有番号割り当て部、およびプルダウン抵抗（Ｐｕｌｌ  ｄｏｗｎ  Ｒｅｓｉｓｔｏｒ）を含み、前記一つ以上の抵抗部のうち最前端に位置した抵抗部は一側が前記固有番号割り当て部と連結され、最後端に位置した抵抗部は一側が前記プルダウン抵抗に連結されてもよい。
【００１２】
一つの実施形態において、前記固有番号割り当て信号の電圧値は１２Ｖであってもよい。
【００１３】
一つの実施形態において、前記一つ以上の抵抗部は直列連結されてもよい。
【００１４】
本発明の他の一実施形態によるセルモジュールコントローラに対する固有番号割り当て方法は、メインバッテリー管理システム（Ｍａｉｎ  Ｂａｔｔｅｒｙ  Ｍａｎａｇｅｍｅｎｔ  Ｓｙｓｔｅｍ；Ｍａｉｎ  ＢＭＳ）が一つ以上のセルモジュールコントローラ（Ｃｅｌｌ  Ｍｏｄｕｌｅ  Ｃｏｎｔｒｏｌｌｅｒ；ＣＭＣ）と各々連結された一つ以上の抵抗部に固有番号割り当て信号を印加するステップ、および前記メインＢＭＳが前記抵抗部に印加される固有番号割り当て信号の電圧値に基づいて前記一つ以上のＣＭＣに対する固有番号を割り当てるステップを含む。
【００１５】
一つの実施形態において、前記固有番号割り当て信号を印加するステップは、第１抵抗を介して、前記固有番号割り当て信号の電圧値を特定の数値だけ減少させるステップ、および第２抵抗を介して、特定の数値だけ低くなった前記固有番号割り当て信号の電圧値を制御部が許容可能な大きさに減少させるステップを含み、前記固有番号を割り当てるステップは、前記制御部を介して、前記第２抵抗から許容可能な大きさに減少した前記固有番号割り当て信号の印加を受けて格納するステップを含んでもよい。
【００１６】
一つの実施形態において、前記固有番号割り当て信号を印加するステップは、固有番号割り当て部が前記固有番号割り当て信号を出力するステップをさらに含み、前記一つ以上の抵抗部のうち最前端に位置した抵抗部は一側が前記固有番号割り当て部と連結され、最後端に位置した抵抗部は一側がプルダウン抵抗（Ｐｕｌｌ  ｄｏｗｎ  Ｒｅｓｉｓｔｏｒ）に連結されてもよい。
【００１７】
一つの実施形態において、前記固有番号割り当て信号の電圧値は１２Ｖであってもよい。
【００１８】
一つの実施形態において、前記一つ以上の抵抗部は直列連結されてもよい。
【発明の効果】
【００１９】
本発明は、メインＢＭＳから一つ以上のセルモジュールコントローラに連結された一つ以上の抵抗部に各々印加される固有番号割り当て信号の電圧値に基づいて一つ以上のセルモジュールコントローラに対する固有番号を各々割り当てることによって、別途の固有番号割り当てモジュール、ダイオードおよびバイポーラ接合トランジスタ（Ｂｉｐｏｌａｒ  Ｊｕｎｃｔｉｏｎ  Ｔｒａｎｓｉｓｔｏｒ、ＢＪＴ）を追加せずに簡単な回路の実現により一つ以上のセルモジュールコントローラに対する固有番号を割り当てできるという利点がある。
【図面の簡単な説明】
【００２０】
【図１】本発明の一実施形態によるセルモジュールコントローラに対する固有番号割り当てシステム１００の構成を概略的に示す図である。
【図２】本発明の一実施形態によるセルモジュールコントローラに対する固有番号割り当てシステム１００の構成をより詳細に示す図である。
【図３】本発明の一実施形態によるセルモジュールコントローラに対する固有番号割り当てシステム１００において、セルモジュールコントローラ１１１と抵抗部１２１の連結関係をより詳細に示す図である。
【図４】本発明の一実施形態によるセルモジュールコントローラに対する固有番号割り当てシステム１００において、一つ以上のセルモジュールコントローラ１１１〜１１Ｎとメインバッテリー管理システム１３０が有線／無線通信を介して固有番号割り当て信号の電圧値を送受信する形態を概略的に示す図である。
【図５】本発明の一実施形態によるセルモジュールコントローラに対する固有番号割り当てシステム１００を介して一つ以上のセルモジュールコントローラ１１１〜１１Ｎに固有番号を割り当てる一連の過程を説明するためのフローチャートである。
【発明を実施するための形態】
【００２１】
以下では本発明の理解を助けるために好ましい実施形態を提示する。但し、下記の実施形態は本発明をより容易に理解するために提供されるものに過ぎず、本実施形態によって本発明の内容が限定されるものではない。
【００２２】
図１は、本発明の一実施形態によるセルモジュールコントローラに対する固有番号割り当てシステム１００の構成を概略的に示す図であり、図２は、本発明の一実施形態によるセルモジュールコントローラに対する固有番号割り当てシステム１００の構成をより詳細に示す図である。
【００２３】
図１および２を参照すれば、本発明の一実施形態によるセルモジュールコントローラに対する固有番号割り当てシステム１００は、セルモジュールコントローラ（Ｃｅｌｌ  Ｍｏｄｕｌｅ  Ｃｏｎｔｒｏｌｌｅｒ；ＣＭＣ）１１０、抵抗部１２０、およびメインバッテリー管理システム（Ｍａｉｎ  Ｂａｔｔｅｒｙ  Ｍａｎａｇｅｍｅｎｔ  Ｓｙｓｔｅｍ；Ｍａｉｎ  ＢＭＳ）１３０を含むことができる。
【００２４】
先ず、ＣＭＣ１１０は一つ以上のバッテリーモジュール１０に各々連結されることができ、このために、ＣＭＣ１１０は一つ以上からなることができる。また、一つ以上のＣＭＣ１１１〜１１Ｎは割り当てられる固有番号を格納する役割をし、このために、一つ以上のＣＭＣ１１１〜１１Ｎは制御部１１１ａ〜１１Ｎａを各々含むことができる。ここで、固有番号は、一つ以上のＣＭＣ１１１〜１１Ｎを識別するために一つ以上のＣＭＣ１１１〜１１Ｎごとに各々割り当てられる識別番号を意味する。
【００２５】
制御部１１１ａ〜１１Ｎａは、後述の抵抗部１２０から固有番号割り当て信号の印加を受けて格納することができる。一つの実施形態において、制御部１１１ａ〜１１Ｎａは、マイクロコントローラユニット（Ｍｉｃｒｏ  Ｃｏｎｔｒｏｌｌｅｒ  Ｕｎｉｔ；ＭＣＵ）であってもよく、後述の抵抗部１２０に印加される固有番号割り当て信号の電圧値を測定する形態で固有番号割り当て信号の印加を受けることができる。また、制御部１１１ａ〜１１Ｎａは、別途の格納部（図示せず）と共に構成されることによって、測定された固有番号割り当て信号の電圧値を格納することができる。
【００２６】
他の一つの実施形態において、制御部１１１ａ〜１１Ｎａは、別途の格納部なしに構成されてもよく、図４に示すように、印加された固有番号割り当て信号の電圧値を格納せずに、後述の一つ以上の通信部１１１ｂ〜１１Ｎｂを介して各々メインＢＭＳ１３０に送信することができる。
【００２７】
抵抗部１２０は一つ以上のＣＭＣ１１１〜１１Ｎに各々連結されることができ、このために抵抗部１２０は、一つ以上からなることができる。また、抵抗部１２０は、後述のメインＢＭＳ１３０から固有番号割り当て信号の印加を受けることができ、印加を受けた固有番号割り当て信号の電圧値を減少させて一つ以上のＣＭＣ１１１〜１１Ｎに印加する役割をする。このために、一つ以上の抵抗部１２１〜１２Ｎは、第１抵抗１２１ａ〜１２Ｎａおよび第２抵抗１２１ｂ〜１２Ｎｂを各々含むことができる。ここで、固有番号割り当て信号は、一つ以上のＣＭＣ１１１〜１１Ｎごとに識別のための固有番号を割り当てるために印加される識別信号であってもよい。一例として、固有番号割り当て信号は１２Ｖ大きさの電圧であってもよい。
【００２８】
第１抵抗１２１ａ〜１２Ｎａは、固有番号割り当て信号の電圧値を特定の数値だけ減少させることができる。ここで、特定の数値は、一つ以上の抵抗部１２１〜１２Ｎごとに印加される固有番号割り当て信号の電圧値を減少させて固有番号割り当て信号の電圧値を互いに異なるようにするために設定された数値であってもよい。例えば、特定数値が１Ｖであり、Ｎ個のＣＭＣ１１１〜１１ＮにＮ個の抵抗部１２１〜１２Ｎが各々連結され、１２Ｖ大きさの固有番号割り当て信号が最前端に位置した抵抗部１２１に印加される場合、最前端に位置した抵抗部１２１から最後端に位置した抵抗部１２Ｎまで１Ｖずつ減少して１１Ｖ〜１２−Ｎ  Ｖ大きさの固有番号割り当て信号が印加される。それにより、一つ以上の抵抗部１２１〜１２Ｎごとに互いに異なる大きさの固有番号割り当て信号を印加することができ、互いに異なる大きさの固有番号割り当て信号を各々のＣＭＣ１１１〜１１Ｎに印加して固有番号を割り当てることができる。
【００２９】
第２抵抗１２１ｂ〜１２Ｎｂは、第１抵抗１２１ａ〜１２Ｎａを介して特定の数値だけ低くなった固有番号割り当て信号の電圧値を制御部１１１ａ〜１１Ｎａが許容可能な大きさの電圧値に減少させることができる。例えば、制御部１１１ａ〜１１ＮａがＭＣＵである場合、制御部１１１ａ〜１１Ｎａは３Ｖ〜５Ｖ内の電圧値を許容することができる。したがって、第２抵抗１２１ｂ〜１２Ｎｂは、第１抵抗１２１ａ〜１２Ｎａから印加される固有番号割り当て信号の電圧値を３Ｖ〜５Ｖに減少させることによって制御部１１１ａ〜１１Ｎａに異常なしに固有番号割り当て信号を印加することができる。以下では、図３を参照して、一つ以上の抵抗部１２１〜１２Ｎを介して一つ以上の抵抗部１２１〜１２Ｎに固有番号割り当て信号を印加する構成についてより詳細に説明する。
【００３０】
図３は、本発明の一実施形態によるセルモジュールコントローラに対する固有番号割り当てシステム１００において、セルモジュールコントローラ１１１と抵抗部１２１の連結関係をより詳細に示す図である。
【００３１】
図３を参照すれば、抵抗部１２１は第１抵抗１２１ａおよび第２抵抗１２１ｂを含むことができ、第２抵抗１２１ｂは２個の抵抗１２１ｂ−１、１２１ｂ−２が直列に連結された形態であってもよい。メインＢＭＳ１３０から印加される固有番号割り当て信号は第１抵抗１２１ａに印加され、特定の数値だけ減少して第２抵抗１２１ｂに印加される。第１抵抗１２１ａによって特定の数値だけ減少した固有番号割り当て信号は第２抵抗１２１ｂに含まれた２個の抵抗１２１ｂ−１、１２１ｂ−２に印加され、電圧分配を通じて２個の抵抗１２１ｂ−１、１２１ｂ−２のうち一つの抵抗１２１ｂ−２に印加される固有番号割り当て信号の電圧値がＣＭＣ１１１の制御部１１１ａに印加される。例えば、第１抵抗１２１ａから特定の数値だけ減少した固有番号割り当て信号の電圧値が８Ｖであり、２個の抵抗１２１ｂ−１、１２１ｂ−２の大きさが同一な場合、第１抵抗１２１ａから印加された固有番号割り当て信号の電圧値は１／２倍になって４Ｖが制御部１１１ａに印加される。
【００３２】
一つの実施形態において、一つ以上の抵抗部１２１〜１２Ｎに各々含まれた一つ以上の第２抵抗１２２の大きさは全て同一な値であってもよい。互いに同一な抵抗値を有する一つ以上の第２抵抗１２２に第１抵抗１２１を介して減少した互いに異なる大きさの固有番号割り当て信号が印加され、第２抵抗１２２を介して同一な割合で各々減少するかまたは一定な電圧値が減少することによって、互いに異なる電圧値を有する固有番号割り当て信号が制御部１１１に各々印加される。
【００３３】
他の一つの実施形態において、抵抗部１２０は第２抵抗１２２のみからなってもよく、一つ以上の抵抗部１２１〜１２Ｎに含まれた一つ以上の第２抵抗１２２の電圧値を互いに異なるように設定することによって、メインＢＭＳ１３０から印加される固有番号割り当て信号の電圧値を互いに異なるように調整して制御部１１１に印加することができる。
【００３４】
再び図１および２に戻り、メインＢＭＳ１３０は、抵抗部１２０に固有番号割り当て信号を出力する役割をする。このために、メインＢＭＳ１３０は、固有番号割り当て部１３１を含むことができる。
【００３５】
固有番号割り当て部１３１は、一つ以上の抵抗部１２１〜１２Ｎのうち最前端に位置した抵抗部１２１の一側と連結されることができ、最前端に位置した抵抗部１２１に固有番号割り当て信号を印加することができる。例えば、固有番号割り当て部１３１は一定大きさの電圧を発生できる電圧源（Ｖｏｌｔａｇｅ  ｇｅｎｅｒａｔｏｒ）であってもよく、電圧源と一つ以上の抵抗部１２１〜１２Ｎを連結することによって電圧源から発生する一定大きさの電圧を印加することができる。一つ以上の抵抗部１２１〜１２Ｎは最前端に位置した抵抗部１２１に印加された固有番号割り当て信号を最前端に位置した抵抗部１２１から最後端に位置した抵抗部１２Ｎまで順次印加することができ、そのために、一つ以上の抵抗部１２１〜１２Ｎは直列連結されることができる。
【００３６】
また、メインＢＭＳ１３０は、プルダウン抵抗１３２を含むことができる。プルダウン抵抗１３２は、一側が一つ以上の抵抗部１２１〜１２Ｎのうち最後端に位置した抵抗部１２０と連結され、他側が接地端子と連結されることができる。それにより、一つ以上の抵抗部１２１〜１２Ｎは、電圧の低レベル状態を維持することができる。また、安定性のために設けられた一つ以上のスイッチ（図示せず）がオフ（ＯＦＦ）状態を維持してからオン（ＯＮ）状態に変更される場合、回路が瞬間的に短絡した状態になって多量の電流が流れるのを防止することによって、本発明の一実施形態によるセルモジュールコントローラに対する固有番号割り当てシステム１００の安定性を向上させることができる。
【００３７】
一つの実施形態において、メインＢＭＳ１３０は、一つ以上のＣＭＣ１１１〜１１Ｎから固有番号割り当て信号の電圧値の伝達を受け、伝達を受けた固有番号割り当て信号の電圧値に基づいて一つ以上のＣＭＣ１１１〜１１Ｎに対する固有番号を割り当てることができる。一例として、一つ以上のＣＭＣ１１１〜１１Ｎは、メインＢＭＳに有線／無線通信を介して固有番号割り当て信号の電圧値を伝達することができる。以下では、図４を参照して、一つ以上のＣＭＣ１１１〜１１ＮとメインＢＭＳが有線／無線通信する形態について説明する。
【００３８】
図４は、本発明の一実施形態によるセルモジュールコントローラに対する固有番号割り当てシステム１００において、一つ以上のセルモジュールコントローラ１１１〜１１Ｎとメインバッテリー管理システム１３０が有線／無線通信を介して固有番号割り当て信号の電圧値を送受信する形態を概略的に示す図である。
【００３９】
図４を参照すれば、一つの実施形態において、一つ以上のＣＭＣ１１１〜１１Ｎは、通信部１１１ｂ〜１１Ｎｂを各々含むことができる。
【００４０】
一つ以上の通信部１１１ｂ〜１１Ｎｂは、メインＢＭＳ１３０と有線／無線通信することができ、一つ以上のＣＭＣ１１１〜１１Ｎから得られたバッテリーモジュール１０の状態情報および一つ以上の第２抵抗１２１ｂ〜１２Ｎｂから印加を受けた固有番号割り当て信号の電圧値を各々メインＢＭＳ１３０に送信することができる。
【００４１】
メインＢＭＳ１３０は、一つ以上の通信部１１１ｂ〜１１Ｎｂから、一つ以上の第２抵抗１２１ｂ〜１２Ｎｂから印加を受けた固有番号割り当て信号の電圧値の受信を各々受けることができ、受信を受けた一つ以上の固有番号割り当て信号の電圧値を比較して固有番号を割り当てることができる。例えば、３個のＣＭＣと連結された３個の抵抗部に各々含まれた３個の第２抵抗に印加された固有番号割り当て信号の電圧値が各々１１Ｖ、８Ｖおよび５Ｖである場合、最も大きい値が印加された第２抵抗に連結されたＣＭＣを１番に設定し、その後、電圧値の大きい順に２番目に大きい値が印加された第２抵抗に連結されたＣＭＣを２番、および最も小さい値が印加された第２抵抗に連結されたＣＭＣを３番に設定することができる。その逆に、最も小さい値が印加された第２抵抗に連結されたＣＭＣを１番に設定し、その後、電圧値の小さい順に２番および３番を設定することができる。以下では、図５を参照して、本発明の一実施形態によるセルモジュールコントローラに対する固有番号割り当てシステム１００を用いて、一つ以上のＣＭＣ１１１〜１１Ｎに固有番号を割り当てる一連の過程についてより詳細に説明する。
【００４２】
図５は、本発明の一実施形態によるセルモジュールコントローラに対する固有番号割り当てシステム１００を介して一つ以上のセルモジュールコントローラ１１１〜１１Ｎに固有番号を割り当てる一連の過程を説明するためのフローチャートである。
【００４３】
先ず、本発明の一実施形態によるセルモジュールコントローラに対する固有番号割り当て方法が開始されれば、固有番号割り当て部が、最前端に位置した抵抗部の第１抵抗に固有番号割り当て信号を印加する（Ｓ１１０）。ここで、固有番号割り当て信号は、１２Ｖ大きさの電圧であってもよい。Ｓ１１０ステップで第１抵抗を介して印加された固有番号割り当て信号の大きさを特定の数値だけ減少させ、減少させた固有番号割り当て信号を第２抵抗に印加する（Ｓ１２０）。Ｓ１２０ステップで第２抵抗を介して第１抵抗から印加を受けた特定の数値だけ減少させた固有番号割り当て信号の大きさをさらに減少させて制御部が許容可能な大きさに設定する（Ｓ１３０）。例えば、Ｓ１３０ステップでは、電圧分配を用いて固有番号割り当て信号の大きさのうち一部のみ制御部に印加することができる。Ｓ１３０ステップで減少した固有番号割り当て信号は制御部に印加され、制御部は固有番号割り当て信号値の印加を受けて格納する（Ｓ１４０）。
【００４４】
Ｓ１２０ステップで第１抵抗を介して特定の数値だけ減少した固有番号割り当て信号は後端に連結された抵抗部の第１抵抗に印加され、後端に連結された抵抗部の第１抵抗を介して再び特定の数値だけ減少する。上述した方式により、最前端に位置した抵抗部の第１抵抗から最後端に位置した抵抗部の第１抵抗まで順次に特定の数値だけ減少させた固有番号割り当て信号が印加される（Ｓ１５０）。Ｓ１１０ステップ〜Ｓ１５０ステップを通じて、一つ以上のＣＭＣに含まれた抵抗部は各々の第２抵抗から互いに異なる大きさの固有番号割り当て信号の印加を受けて格納する（Ｓ１６０）。
【００４５】
その後、メインＢＭＳは、一つ以上のＣＭＣに各々含まれた通信部から有線／無線通信方式で格納された固有番号割り当て信号の電圧値に対する情報の受信を受ける（Ｓ１７０）。メインＢＭＳは、Ｓ１７０ステップで受信を受けた一つ以上の固有番号割り当て信号の電圧値に基づいて一つ以上のＣＭＣに対する固有番号を割り当てる（Ｓ１８０）。例えば、受信を受けた一つ以上の固有番号割り当て信号の電圧値のうち最も大きい固有番号割り当て信号の電圧値に対応する一つ以上のＣＭＣを１番に設定し、その後、電圧値の大きい順に番号を設定することができる。
【００４６】
前述したように、本発明の一実施形態によるセルモジュールコントローラに対する固有番号割り当てシステムおよび方法は、固有番号を割り当てるための別途の固有番号割り当てモジュール、ダイオードおよびバイポーラ接合トランジスタ（Ｂｉｐｏｌａｒ  Ｊｕｎｃｔｉｏｎ  Ｔｒａｎｓｉｓｔｏｒ、ＢＪＴ）が必要でなく、一つ以上のＣＭＣに各々連結された一つ以上の抵抗部に固有番号割り当て信号を印加し、印加を受けた固有番号割り当て信号の電圧値に基づいて一つ以上のＣＭＣ各々に固有番号を割り当てることによって、簡単な回路の実現により一つ以上のセルモジュールコントローラに対する固有番号割り当てが可能であり、それにより、全体的なシステムの製作に必要な費用および体積を減少させて全体バッテリー管理システムの効率を増加させることができる。
【００４７】
以上では本発明の好ましい実施形態を参照して説明したが、該技術分野の熟練した当業者であれば、下記の特許請求の範囲に記載された本発明の思想および領域から逸脱しない範囲内で本発明を多様に修正および変更できることを理解することができる。
【図１】
2019519072.tif 000003
【図２】
2019519072.tif 000004
【図３】
2019519072.tif 000005
【図４】
2019519072.tif 000006
【図５】
2019519072.tif 000007
【国際調査報告】
2019519072.tif 000008
2019519072.tif 000009
2019519072.tif 000010
2019519072.tif 000011